(57)【特許請求の範囲】
【請求項１】
原稿シートを読み取るためのプラテン上の読取位置に原稿シートを搬送するための搬送ローラと、前記プラテン上を通過した原稿シートを排紙する排紙ローラと、原稿の先端を前記プラテン上よりすくい上げるためのすくい上げガイドの下流側に配置され、原稿シートを前記排紙ローラに案内する排紙ガイドと、を備えた原稿搬送装置において、
前記プラテンと前記すくい上げガイドとで規定される屈曲部で、搬送される原稿を前記すくい上げガイドに向けて押圧するように押圧片を設け、
前記押圧片は、その一端側を前記読取位置の上流側の支持部材に固定し、他端側をフリー端とし、該フリー端を前記排紙ガイドと該排紙ガイドに対向するガイドで形成された搬送路内に進入させるように前記すくい上げガイドの案内面から前記排紙ガイドの案内面に沿って延設し、前記フリー端の先端部を前記排紙ガイドの案内面に接触させたことを特徴とする原稿搬送装置。
【請求項２】
前記押圧片は、白色のマイラー部材で構成されていることを特徴とする請求項１に記載の原稿搬送装置。
【請求項３】
前記マイラー部材は、その幅が、搬送される最大原稿の幅よりも広いことを特徴とする請求項２に記載の原稿搬送装置。
【請求項４】
原稿シートを読み取るためのプラテン上の読取位置に原稿シートを搬送するための搬送ローラと、前記プラテン上を通過した原稿シートを排紙する排紙ローラと、原稿の先端を前記プラテン上よりすくい上げるためのすくい上げガイドの下流側に配置され、原稿シートを前記排紙ローラに案内する排紙ガイドと、を備えた原稿搬送装置において、
前記プラテンと前記すくい上げガイドとで規定される屈曲部で、搬送される原稿を前記すくい上げガイドに向けて押圧するマイラー部材を設け、
該マイラー部材は、その一端側を前記読取位置の上流側の支持部材に固定し、他端側をフリー端とするとともに、該フリー端を前記排紙ガイドと該排紙ガイドに対向するガイドで形成された搬送路内に進入させるように前記すくい上げガイドの案内面から前記排紙ガイドの案内面に沿って延設し、前記フリー端の先端部を前記排紙ガイドの案内面に接触させ、
前記マイラー部材を前記屈曲部に沿わせるように、前記支持部材との間にスポンジ材で形成された弾性部材を設けたことを特徴とする原稿搬送装置。
【請求項５】
前記押圧片のフリー端は、前記排紙ローラの近傍まで延設されることを特徴とする請求項１に記載の原稿搬送装置。
【発明の詳細な説明】
【０００１】
【発明の属する技術分野】
本発明は、例えば電子写真複写機のように用紙に画像を形成する画像読取装置に用いられ、原稿読取位置に対して連続的に原稿を搬送する原稿搬送装置に関する。
【０００２】
【従来の技術】
上記のような電子複写機等の画像読取装置には、複数枚の原稿を１枚づつ繰り出し、これを原稿読取位置に自動的に供給するよう、所謂ＡＤＦ（オートマチック・ドキュメント・フィーダ）と称される原稿搬送装置が用いられる。
【０００３】
一方、画像読取装置には、原稿搬送装置によって原稿読取位置に順次搬送されてくる原稿を読み取るべく、走査手段が設けられている。この走査手段としては、例えば、プラテン上を通過する原稿に光を照射し、この反射光を集光レンズによって集光してＣＣＤラインセンサで検知するものや、あるいはプラテン上を通過する原稿に光を照射し、この反射光を集光することなく密着センサによって直接検知するもの等がある。
【０００４】
ところで、このような走査手段によって、搬送されてくる原稿を走査する場合、実際の読取位置で原稿がばたつくと読取画像に歪みが生じるという問題がある。このため、例えば、特開平１０−１３９２１１号に開示されているように、プラテンと原稿押え部材との間の隙間（原稿読取位置）に、滑らかに原稿を送り込む技術が知られている。
【０００５】
すなわち、この公知技術は、原稿読取位置の上流側に上下一対の板状弾性片を配設し、原稿をこの弾性片間で挟み込むようにして案内することで、姿勢を変化させることなく、原稿を一定の軌道で原稿読取位置に送り込むように構成している。
【０００６】
【発明が解決しようとする課題】
しかし、一般的な原稿搬送装置は、読取位置の下流側に、読み取られた原稿の先端を上方にすくい上げて排紙スタッカ側に案内するためのガイド（以下、「すくい上げガイド」という）が設けられており、その読取位置から排紙側に向かって搬送経路が屈曲（湾曲）した状態になっている。
【０００７】
このため、上記した公知技術では、滑らかな状態で原稿を読取位置に送り込むことはできるものの、読取位置を通過した原稿は、すくい上げガイドの部分で屈曲（湾曲）した経路を移動するため、その部分に原稿先端が当接すると、読取位置で原稿がばたつくという問題が生じる。従って、読取画像の歪みを確実に防止することはできず、特に、走査手段として密着センサを用いた場合、その読取画像の歪みが大きくなってしまう。
【０００８】
この発明は、上記の問題に着目してなされたものであり、原稿を画像読取装置の原稿読取位置に搬送する際に、画像読取装置における読取画像の歪みを確実に防止できる原稿搬送装置を提供することを目的とする。
【０００９】
【課題を解決するための手段】
上記従来の課題に鑑みて、本発明に係る原稿搬送装置は、原稿シートを読み取るためのプラテン上の読取位置に原稿シートを搬送するための搬送ローラと、前記プラテン上を通過した原稿シートを排紙する排紙ローラと、原稿の先端を前記プラテン上よりすくい上げるためのすくい上げガイドの下流側に配置され、原稿シートを前記排紙ローラに案内する排紙ガイドと、を備えた原稿搬送装置において、前記プラテンと前記すくい上げガイドとで規定される屈曲部で、搬送される原稿を前記すくい上げガイドに向けて押圧するように押圧片を設け、前記押圧片は、その一端側を前記読取位置の上流側の支持部材に固定し、他端側をフリー端とし、このフリー端を前記排紙ガイドとこの排紙ガイドに対向するガイドで形成された搬送路内に進入させるように前記すくい上げガイドの案内面から前記排紙ガイドの案内面に沿って延設し、前記フリー端の先端部を前記排紙ガイドの案内面に接触させたことを特徴とする。
【００１１】
前記押圧片は、薄い原稿シートを取り扱う場合に鑑みて、白色のマイラー部材で構成され、その幅は、搬送される最大原稿の幅よりも広い。
【００１２】
さらに、本発明に係る原稿搬送装置は、原稿シートを読み取るためのプラテン上の読取位置に原稿シートを搬送するための搬送ローラと、前記プラテン上を通過した原稿シートを排紙する排紙ローラと、原稿の先端を前記プラテン上よりすくい上げるためのすくい上げガイドの下流側に配置され、原稿シートを前記排紙ローラに案内する排紙ガイドと、を備えた原稿搬送装置において、前記プラテンと前記すくい上げガイドとで規定される屈曲部で、搬送される原稿を前記すくい上げガイドに向けて押圧するマイラー部材を設け、このマイラー部材は、その一端側を前記読取位置の上流側の支持部材に固定し、他端側をフリー端とするとともに、そのフリー端を前記排紙ガイドとこの排紙ガイドに対向するガイドで形成された搬送路内に進入させるように前記すくい上げガイドの案内面から前記排紙ガイドの案内面に沿って延設し、前記フリー端の先端部を前記排紙ガイドの案内面に接触させ、前記マイラー部材を前記屈曲部に沿わせるように、前記支持部材との間にスポンジ材で形成された弾性部材を設けたことを特徴とする。
【００１３】
前記押圧片のフリー端は、前記排紙ローラの近傍まで延設される。
【００１４】
上記構成によれば、原稿読取位置を通過する原稿は、その下流側に設けられているすくい上げガイドの部分で屈曲するように搬送されても、押圧片によって常時押圧されるため、原稿読取位置でばたつくようなことはなく、原稿シートのジャムを生じさせることなく、原稿シートの画像を精緻に読み取ることが可能となる。
【００１５】
【発明の実施の形態】
以下、本発明に係る原稿搬送装置の詳細を図の記載に基づいて説明する。
図１は、電子写真複写機に装着されるＡＤＦの一実施形態の内部構成を示し、図２は、当該内部構成における原稿読取位置部分の拡大図を示す。
【００１６】
電子写真複写機１００の機体の上部には、ブック形式の原稿を処理できるように原稿台ガラス（第１プラテン）１０２ａが配設されており、このプラテン１０２ａの一側には、ＡＤＦ１によって連続的に搬送される原稿が通過するカバーガラス（第２プラテン）１０２ｂが配設されている。
【００１７】
前記プラテン１０２ａ，１０２ｂの下方には、原稿の読み取りを行う走査手段（図示せず）が配設されている。この走査手段は、ＡＤＦ１によってプラテン１０２ｂ上を通過する原稿を読み取る場合、プラテン１０２ｂ上を通過する原稿に光を照射し、この反射光を集光レンズによって集光してＣＣＤラインセンサで検知するものや、あるいはプラテン１０２ｂ上を通過する原稿に光を照射し、この反射光を直接密着センサによって検知するもの等がある。
【００１８】
なお、ブック形式の原稿を読み取る場合、原稿に対して光を照射する走行体（図示せず）が第１プラテン１０２ａの範囲内を移動するように構成される。また、上記のような走査手段は、電子写真複写機１００に組み込んでも良いし、ＡＤＦ１にユニットとして予め組み込んでおいても良い。
【００１９】
前記ＡＤＦ１は、第２プラテン１０２ｂの原稿の読取が行われる位置Ｘ（読取位置Ｘと称する）に対して連続的に原稿を搬送するように構成されている。また、ＡＤＦ１は、ブック形式の原稿を処理できるように、前記プラテン１０２ａの表面に原稿を密着状態に置く圧板１ａを備えている。
【００２０】
ＡＤＦ１は、複数枚の原稿を積載する給紙スタッカ２と、この給紙スタッカ２から繰り出され、読取位置Ｘでその内容の読取が終了した原稿を排紙する排紙スタッカ４とを備えている。これらのスタッカ２，４は、装置本体の小型化を図るため、上下方向に併設することが望ましく、上記圧板１ａは、排紙スタッカ４の裏面側に取り付けられている。また、本実施の形態では、給紙スタッカ２上には、処理面を上側とし、下に向けて順に高頁側の原稿が積載され、上側から順に繰り出される構成となっている。
【００２１】
装置本体内には、給紙スタッカ２に載置された原稿を１枚づつ繰り出す用紙分離機構７が配設されている。用紙分離機構７は、給紙スタッカ２上に積載された原稿に当接し、最上の原稿を繰り出すキックローラ１１と、キックローラ１１によって繰り出された原稿の１枚分離を果たすように、分離パッド１３及びこれに当接する分離ローラ１４とを備えている。なお、キックローラ１１と分離ローラ１４は、一方向のみ回転可能にするワンウエイクラッチを介して正逆転可能な駆動モータＭにより回転駆動される。
【００２２】
前記用紙分離機構７の下流側には、繰り出された原稿を湾曲するように搬送し、前記読取位置Ｘに給送する搬送経路Ｐが設けられている。本実施の形態では、この湾曲する搬送経路Ｐは、読取位置Ｘと対向するように配設された大径ローラ１６の外周面１６ａによって形成されている。この場合、大径ローラ１６は、装置本体のフレーム１ｂに回転可能に支持された駆動軸１６ｂに所定間隔をおいて複数個配設されており、ワンウエイクラッチを介して、前記正逆転可能な駆動モータＭにより回転駆動されるようになっている。
【００２３】
搬送経路Ｐには、順に３箇所の搬送ポイントが設けられている。本実施の形態では、これら搬送ポイントは、上記のように所定間隔をおいて複数個配設されている大径ローラ１６の夫々の外周面に当接するものであり、上流側から順にレジストローラ１８、フィードローラ１９、排紙ローラ２０によって構成されている。なお、読取位置Ｘは、第２の搬送ポイント（フィードローラ１９）と、第３の搬送ポイント（排紙ローラ２０）との間に位置しており、ここで読取がなされた原稿は、大径ローラ１６と排紙ローラ２０との間で搬送されて、直接排紙スタッカ４に排出されるようになっている。
【００２４】
前記フィードローラ１９と読取位置Ｘとの間には、フレーム１ｂに対して着脱可能なガイド１ｃが配設されており、搬送経路Ｐから送られてくる原稿をプラテン１０２ｂ（読取位置Ｘ）上に案内する（送り込む）ようになっている。また、読取位置Ｘと排紙ローラ２０との間には、すくい上げガイド１ｄが配設されており、プラテン１０２ｂ上の読取位置Ｘで読取られた原稿を屈曲（湾曲）するようにすくい上げて、大径ローラ１６と排紙ローラ２０とのニップ部に案内するようになっている。
【００２５】
そして、上記したプラテン１０２ｂとすくい上げガイド１ｄとによって規定される屈曲部には、搬送される原稿をすくい上げガイド１ｄに向けて押圧するように押圧片が配設されている。
【００２６】
本実施の形態の押圧片は、軸方向に所定間隔で複数配設されている大径ローラ１６及びこれに当接する排紙ローラ２０間において、読取位置Ｘの上流側から下流側に渡って配設された白色のマイラー部材２５によって構成されている。このマイラー部材２５は、厚さが０．１ｍｍ程度のポリエステルフイルムで構成されており、その上流側がガイド１ｃの上方のフレーム１ｂに固定され、かつ下流側がフリー状態となって、すくい上げガイド１ｄの上面から搬送経路Ｐに沿って延出している。この場合、マイラー部材２５の上流側端部の裏面に両面テープを添着しておくことで、ガイド１ｃを取り外すことによりフレーム１ｂに容易に装着することが可能となる。
【００２７】
また、本実施の形態では、軸方向に所定間隔おいて複数配設されている大径ローラ１６及びこれに当接する排紙ローラ２０間において、読取位置Ｘで処理された原稿を排紙スタッカ４上に向けて偏向させる偏向手段、具体的には、一端がフレーム１ｂに支持される板バネ３０が、軸方向に所定間隔おいて配設されるローラ１６，２０間に位置している。
【００２８】
前記板バネ３０は、支持部分からプラテン１０２ｂに沿うように延出する水平部３０ａと、水平部から大径ローラ１６の外周に沿うように上方に傾斜して延出する傾斜部３０ｂと、傾斜部から排紙ローラ２０の周面に倣って湾曲する湾曲部３０ｃを備えた構成になっている。このような構成の板バネ３０によれば、読取位置Ｘで読取がなされた原稿の先端が、鋭角度をもって傾斜部３０ｂに突き当たり、その先端側が所定の範囲だけ回動されるようになっている。
【００２９】
以上のように構成されるＡＤＦ１には、原稿の有無、及び原稿の通過を検知する各種センサが配設されている。具体的には、繰り出し位置において、給紙スタッカ２上の原稿の有無を検知するエンプティセンサ３５が設けられており、さらに、レジストローラ１８の手前、用紙処理部Ｘの手前、排紙ローラ２０の手前には、それぞれレジストセンサ３６、リードセンサ３７、および排紙センサ３８が配設されて、夫々用紙の通過を検知するようになっている。そして、これらの各センサ３５〜３８は、装置全体の駆動を制御するＣＰＵに接続されており、各センサからの検知信号に基づいて、上述した駆動モータＭの正転／逆転および停止がなされる。
【００３０】
次に、上記した構成のＡＤＦ１によって、原稿を連続的に繰り出して処理を行なう工程について説明する。
【００３１】
エンプティセンサ３５がＯＮ状態、すなわちスタッカ２上に原稿が積載されたことが検知されると駆動モータＭが正転駆動され、キックローラ１１によって１枚目の原稿が給送される。このとき、原稿が重送されても、分離機構の分離パッド１３及びキックローラと同方向に回転する分離ローラ１４によって確実に１枚に分離、給送される。なお、キックローラ１１と分離ローラ１４は、原稿送り方向に回転駆動されるが、大径ローラ１６はワンウェイクラッチの作用によって回転しない。
【００３２】
そして、レジストセンサ３６が給送された原稿を検知すると、その検知から所定時間後に駆動モータＭは一旦停止される。駆動モータＭが停止したとき、原稿の先端側は、第１の搬送ポイントである大径ローラ１６とレジストローラ１８のニップ部に当て付けられてたわみが形成され、スキューが除去される。そして、この一旦停止後、駆動モータＭは逆転駆動される。このとき、キックローラ１１と分離ローラ１４は、ワンウェイクラッチの作用によって回転しないが、大径ローラ１６は原稿送り方向に回転駆動される。
【００３３】
駆動モータＭの逆転駆動により、原稿は、搬送経路Ｐすなわち大径ローラ１６の外周に沿って搬送され、第２の搬送ポイントである大径ローラ１６とフィードローラ１９を通過した後、リードセンサ３７が原稿の通過を検知したときに、駆動モータＭの逆転駆動速度は低下される。この大径ローラ１６の低速駆動状態のときに、原稿は前述した走査手段によって副走査され、読取られる。
【００３４】
そして、リードセンサ３７が原稿の後端を検知してから所定時間後、駆動モータＭを再び正転駆動し、２枚目の原稿を給送すると共に、一旦停止させて１枚目の原稿と同様、レジストローラ１８の部分でたわみを形成してスキューを除去する。なお、この２枚目の原稿給送時には、１枚目の原稿は、その先端側が、既に排紙スタッカ４上にあり、後端側が大径ローラ１６と排紙ローラ２０との間に挟持された状態にある。
【００３５】
そして、一旦停止された状態にある駆動モータＭは、再び逆転駆動される。このとき、大径ローラ１６は原稿送り方向に回転駆動され、１枚目の原稿を第３の搬送ポイントである排紙ローラ２０を介して排紙すると共に、２枚目の原稿を搬送経路Ｐに沿って搬送し、前記同様、読取り動作が行われる。そして、このような連続処理動作において、エンプティセンサ３５が、原稿がなくなったことを検知すると、排紙センサ３８が原稿の後端を検知してから所定時間後に駆動モータＭの逆転駆動が停止され、一連の連続した原稿搬送工程が終了する。
【００３６】
以上のように、先の原稿が読取り動作から排紙動作に移行する際に、次の原稿の繰り出しを行うため、連続処理のインターバルを短くすることができる。また、（先原稿の給送、読取り）→（次原稿の繰り出し）→（先原稿の排紙、次原稿の給送）という一連の工程を、１つの駆動モータＭの正転、逆転のみで行っているため、制御が簡略化される。さらに、読取り動作中の原稿は３つの搬送ポイントによって搬送されるため、処理速度の向上が図れると共に、駆動系の構成も簡略化され、装置コストの低減が図れる。
【００３７】
上記のような連続した原稿読取工程において、レジストローラ１８およびフィードローラ１９によって搬送経路Ｐ内を移動してくる原稿Ｄは、上記した構成のマイラー部材２５を設けたことによって、図３（ａ）に示すように、マイラー部材２５とガイド１ｃに案内されてプラテン１０２ｂ上の読取位置Ｘ上に送り込まれる。そして、ここで読取処理がなされた原稿は、図３（ｂ）に示すように、マイラー部材２５のフリーとなっている部分の弾性力によって、すくい上げガイド１ｄに押圧されながら搬送され、排出ローラ２０に搬送される。
【００３８】
この結果、読取位置Ｘへ送り込まれてから、読取位置Ｘを通過してすくい上げガイド１ｄへ搬送される原稿Ｄは、読取位置Ｘを通過する一連の搬送動作の際に、マイラー部材２５のフリー側の弾性力によって押さえ付けられるため、上下方向にばたつくことがなくなり、読取位置で読取られた画像に歪みが生じることはない。特に、すくい上げガイド１ｄにおける屈曲部において、図３（ｂ）に示すように、原稿Ｄは、すくい上げガイド１ｄに密着されながら搬送されるため、読取位置Ｘでの上下方向へのばたつきが確実に抑制され、密着センサのような走査手段による走査であっても、画像に歪みが生じることはない。
【００３９】
また、マイラー部材２５のフリー側の端を大径ローラ１６と排紙ガイド１ｅにてＡＤＦに形成される搬送路内に進入させることにより、ＡＤＦ開状態時にマイラー部材２５のフリー側の端が排紙ガイド１ｅに規制されて下方に飛び出すことがない。
【００４０】
なお、上述したマイラー部材２５は、搬送される原稿の幅方向の一部を押圧するように構成されていても良いが、原稿全体を押圧するように幅広に構成することが好ましい。すなわち、そのＡＤＦによって処理される最大原稿の幅よりも広く構成されていることが好ましい。このように幅広に構成することで、幅方向における画像の歪みを確実に防止することができる。
【００４１】
また、マイラー部材２５自体が、すくい上げガイド１ｄにおける屈曲部に沿うように、例えば、スポンジ２５ａのような弾性部材をフレームとの間に介在させておくことが好ましい。このような弾性部材を介在させておくことで、屈曲部において、原稿Ｄをより効果的に押圧して安定化させることができる。なお、弾性部材は、スポンジ以外にもバネ等によって構成しても良い。
【００４２】
また、上述したような構成の板バネ３０を配設したことで、上記のような作用効果に加えて、さらに以下の作用効果が得られる。
【００４３】
読取位置Ｘで読取り動作が行われている原稿Ｄは、その先端が大径ローラ１６の外周面に沿って搬送されて行き、その後、傾斜部３０ｂに鋭角度で当て付くようになる。この際、原稿先端は、傾斜部３０ｂに対して鋭角度で突き当てながら上方に案内されるため、原稿Ｄの搬送状態が安定し、読取位置Ｘにおける読取精度の向上が図れる。
【００４４】
そして、原稿先端が傾斜部３０ｂから湾曲部３０ｃに移行した後は、原稿先端は湾曲部３０ｃから外れ、上方に屈曲する屈曲部３０ｄによって規制されながら排紙スタッカ４上に偏向される。そして、湾曲部３０ｃによる下向きの付勢力によって原稿後端は押さえ付けられ、そのままの状態で排紙スタッカ４上に落下するように排紙される。
【００４５】
以上、本発明の原稿搬送装置の実施の形態について説明したが、本発明は、上述した実施の形態以外にも種々変形することが可能である。
【００４６】
上述した実施の形態では、給紙スタッカ２から繰り出された原稿は、大径ローラ１６の外周面によって規定される湾曲した搬送経路Ｐに沿って案内される構成としたが、給紙スタッカの配設位置、原稿搬送経路や搬送ポイントの構成等については種々変形することができる。また、搬送される原稿を、すくい上げガイドに向けて押圧する押圧片は、マイラー部材以外にも、例えば、フレームからすくい上げガイドに向かって垂下するように支持される垂下片によって構成することが可能である。
【００４７】
図４は、そのような原稿搬送装置の別の実施形態を示した概略図である。この実施の形態では、給紙スタッカ２から繰り出された原稿は、搬送ローラ対５４，５５によってプラテン１０２ｂ上に搬送される。プラテン１０２ｂ上のフレーム１ｂには、読取位置Ｘから下流側に延出すると共に、すくい上げガイド１ｄに向けて垂下した垂下片６０が支持されている。この垂下片６０は、先端側６０ａすくい上げガイド１ｄに沿うような形状を有している。
【００４８】
このような垂下片６０によっても、読取位置Ｘを通過してすくい上げガイド１ｄへ搬送される原稿は、読取位置Ｘを通過する一連の搬送動作の際、その屈曲する部分において効果的に押圧されるため、上下方向にばたつくことがなくなり、読取位置で読取られた画像に歪みが生じることがなくなる。もちろん、このような構成においても、上記した構成のようにスポンジ等の弾性部材を配設したり、板バネを配設することで、読取精度がより向上する。
【００４９】
そして、読取位置Ｘで読取がなされた原稿は、排紙ローラ対５６を介して排紙スタッカ４上に排紙される。
【００５０】
図５は、本発明に係る原稿搬送装置を構成する押圧片の例を示す。
以上詳しく説明したように、押圧片２５は、原稿読取位置の上流側７１で固定されており、当該固定位置から原稿読取位置を渡って下流側７２がフリー状態に形成される。押圧片２５は、原稿搬送装置を構成するフレーム又は前記搬送ローラと共に原稿シートの搬送経路を構成するモジュールガイド７５（図６）に対して着脱可能に取り付けられる。このために、押圧片２５の前記上流側端部７１には両面接着テープ又はマジックテープ７３が貼られており、これにより当該押圧片が前記フレーム又はモジュールガイド７５に対して着脱可能となる。押圧片２５の材質は、白色のマイラー部材で構成され、その幅を搬送される最大原稿の幅よりも広くする。
【００５１】
図６は、押圧片の着脱可能な取付け状態を示す。この例では、搬送ローラと共に原稿シートの搬送経路を構成するモジュールガイド７５がフレームに対してビス等により取り付けられる。そして、押圧片２５は、当該モジュールガイド７３に対して両面テープ又はマジックテープ７５を利用して着脱可能に取り付けられる。
【００５２】
以上説明したように、本発明の原稿搬送装置によれば、原稿を画像読取装置の原稿読取位置に搬送する際に、読取位置での原稿のばたつきが確実に抑制されるため、画像読取装置における読取画像の歪みが確実に防止できると共に、原稿シートのジャムを防止することが可能となったのである。
【図面の簡単な説明】
【図１】  本発明による第１の実施形態に係る原稿送装置（ＡＤＦ）の内部構成を示す。
【図２】  図１に示す原稿搬送装置の読取位置を拡大して示す。
【図３】  本原稿搬送装置の原稿読取位置における原稿シートの搬送状態を示す。
【図４】  本願発明による原稿搬送装置の他の実施形態を示す。
【図５】  本発明に係る原稿搬送装置を構成する押圧片の例を示す。
【図６】  押圧片の着脱可能な取付け状態を示す。
【符号の説明】
１  原稿搬送装置（ＡＤＦ）
１ｄ  すくい上げガイド
１ｅ  排紙ガイド
２  給紙スタッカ
４  排紙スタッカ
１６  大径ローラ
１８  レジストローラ
１９  フィードローラ
２０  排紙ローラ
２５  押圧片（マイラー部材）
３０  偏向手段（板バネ）
６０  垂下片（押圧片）
１００  電子写真複写機
Ｘ  読取位置
Ｐ  搬送経路
【図１】
0004690520.tif 000002
【図２】
0004690520.tif 000003
【図３】
0004690520.tif 000004
【図４】
0004690520.tif 000005
【図５】
0004690520.tif 000006
【図６】
0004690520.tif 000007